(57)【要約】【課題】子供の足に合った靴が見つかれば良いが、見つからず出来あがった靴に中敷きを入れて調整する場合やリハビリテーションを必要とする場合、又、個人によっては左右の足がアンバランスでサイズが異なる子供もいる。【解決手段】規定サイズの靴型ラストを用い、一つ上のサイズの靴型ラストとの容量差を有し、且つ、つま先部に周壁を形成する中敷きを着脱可能に挿着し、前記規定サイズより一つ上のサイズのアッパーを吊り込み成形したことにより、履用時に前記中敷きの有無により規定サイズと一つ上のサイズとが兼用できる靴を提供できる。又、前記靴型ラストは、靴内で足の指を自然な状態に保つために、靴型ラストの中心より内側（親指側）のつま先部のみにボリュームを持たせた形状のオブリック・トウにすることにより、履き初めの足にフイットし、足が成長してもフイットする靴となる。【選択図】      図１
2004283500.tif 000002
【特許請求の範囲】
【請求項１】
規定サイズの靴型ラストを用い、規定サイズより一つ上のサイズの靴型ラストとの容量差を有し、且つ、つま先部に周壁を形成する中敷きを規定サイズの靴型ラストに装着し、前記規定サイズより一つ上のサイズのアッパーを吊り込み成形したことを特徴とし、前記中敷きは着脱可能であり、履用時に前記中敷きの有無により規定サイズと規定サイズより一つ上のサイズとが兼用できる靴。
【請求項２】
前記靴型ラストは、靴内で足の指を自然な状態に保つために、靴型ラストの中心より内側（親指側）のつま先部のみにボリュームを持たせた形状のオブリック・トウであることを特徴とする請求項１に記載の規定サイズと規定サイズより一つ上のサイズとが兼用できる靴。
【請求項３】
インジェクション式又はセメント式による靴の製造において、規定サイズの靴型ラストとし、規定サイズより一つ上のサイズの靴型ラストとの容量差を有し、且つ、つま先部に周壁を形成する中敷きを規定サイズの靴型ラストに着脱可能に装着し、前記規定サイズより一つ上のサイズのアッパーを吊り込み成形することによる規定サイズと規定サイズより一つ上のサイズとが兼用できる靴の製造方法。
【発明の詳細な説明】
【０００１】
【発明の属する技術分野】
本発明は、足サイズの左右アンバランス、リハビリテーションや足の成長等に対応して、靴のサイズを調整可能にし、規定サイズと規定サイズより一つ上のサイズとが兼用できる靴に関する。
【０００２】
【従来の技術】
子供、特に幼少児の足は発育が早く、３〜４ヶ月を目安にサイズを測り、適正サイズかどうか確認が必要とされている。そのため「どうせすぐ成長し靴が小さくなり履けなくなる」「もったいない」と、大きめのサイズを選びがちである。サイズ調整が不適切な大きめの靴を履いた子供は、動きにくいため行動範囲が狭まり、内臓の働きや頭脳の発育にも影響を与えると言われている。
【０００３】
一般に、日本の子供靴の１２．０ｃｍ〜２１．０ｃｍ間は、１ｃｍ刻みで０．５ｃｍと言うハーフサイズが揃っていなかったが、消費者の強い要望でハーフサイズが揃った靴が増えて来ている。しかし、ハーフサイズ靴の商品が多くなると、メーカー、流通業者や小売店としては、それぞれに生産用の靴型ラストの投資額が増えたり、又、流通在庫や店頭在庫の管理等の費用も高くつくことになり、すべての靴に対応することは出来ない状況である。
【０００４】
又、リハビリテーションを必要とする場合や、元々左右の足がアンバランスでサイズが異なるなど片方のサイズ調整を必要とする場合も多い。リハビリテーション靴は、左右サイズ違いのために片足販売している例も多い。
【０００５】
サイズ調整の要望に対応するため、大きめの靴の中敷きに工夫した提案が多数出されている。中底の下側にゴムやスポンジ等の天然素材や合成材料より構成されるパッドを着脱自在に装着し、子供が成長したときパッドを取り出す方法（例えば、特許文献１参照。）や、つま先周辺に発泡体のサイズ調整壁を有する中敷きを装着し、足の発育に合わせて取り除くか別の中敷きと交換する方法（例えば、特許文献２参照。）が提案されている。
【０００６】
（特許文献１）  特開平５−１９２２０１号公報  （明細書  段落番号０００４〜０００７）
（特許文献２）  実公平４−２２８０１号公報  （明細書  実用新案登録請求の範囲）
【０００７】
【発明が解決しようとする課題】
子供の足に合った靴が見つかれば良いが、見つからず出来あがった靴に通常の中敷きを入れて調整する場合や、経済性を考えて大きい靴を購入し通常の中敷きを入れて調整する場合、靴の中の容積が全体に、中敷き厚み方向に一次元的に、ほぼ均一に小さくなる。
その結果、甲部分がピッタリになっても、踵は浅くなり、脱げ易くなる。特に幼児靴の場合、踵部のトップラインの位置は足首より高いのが望ましく踵が浅くなるのは好ましくない。又、趾先の位置も上がってしまうので、靴内の上面側につま先が当たるということも生じる。
前記の特許文献１及び２に記載の提案も、中敷き厚み方向に一次元的に、サイズ調整を行なう方法であり、靴の容積変更は基本的には三次元的に行なうのが望ましい。
【０００８】
又、リハビリテーションを必要とする場合や、個人によっては、左右の足がアンバランスで片方のサイズがワンサイズ異なる子供や大人もいる。
アンバランスのまま靴を履かせると、正しい歩行が得られず子供の成長に影響する。同じ揃いの靴で、靴内で調整できれば、片足のみ別サイズを購入する等の必要がなくなり、子どもの成長、又はリハビリ効果にとっても好都合となる。
【０００９】
メーカーにとって、ハーフサイズを展開するには従来に比べ二倍の靴型ラストを必要とし、そのための投資が必要であり、又、管理する品種も二倍となり、在庫も二倍となり在庫スペースの確保も含め管理費用が増大する。
在庫管理の負荷増大は、流通業者や小売業者も同じことであり、一つ上のサイズとを兼用することが出来る靴が望まれている。
【００１０】
本発明は、上記課題を解決するために成されたもので１ｃｍ刻みの靴において、ハーフサイズに相当する足にフィットする靴を選ぶことが出来、又、規定サイズが合う場合は、成長し足がハーフサイズほど大きくなった時も対応することができ経済的であり、ハーフサイズの靴をラインアップすることによるメーカー、流通業者、小売業者の負担増をも解消する靴、及びその製造方法を提供するものである。
又、リハビリテーションを必要とする場合や、元々左右の足がアンバランスでサイズが異なるなど片方のサイズ調整を必要とする場合にも対応し、一つ上のサイズとの兼用ができる靴を提供する。
【００１１】
【課題を解決するための手段】
規定サイズの靴型ラストを用い、規定サイズより一つ上のサイズの靴型ラストとの容量差を有し、且つ、つま先部に周壁を形成する中敷きを規定サイズの靴型ラストに装着し、前記規定サイズより一つ上のサイズのアッパーを吊り込み成形したことを特徴とし、前記中敷きは着脱可能であり、履用時に前記中敷きの有無により規定サイズと規定サイズより一つ上のサイズとが兼用できる靴を提供する。
【００１２】
又、前記靴型ラストは、靴内で足の指を自然な状態に保つために、靴型ラストの中心より内側（親指側）のつま先部のみにボリュームを持たせた形状のオブリック・トウにすることにより、履き初めの足にフイットし、足が成長し一つ上のサイズになってもフイットするようにしたものである。
【００１３】
又、その製造方法は、インジェクション式又はセメント式による靴の製造において、規定サイズの靴型ラストとし、規定サイズより一つ上のサイズの靴型ラストとの容量差を有し、且つ、つま先部に周壁を形成する中敷きを規定サイズの靴型ラストに着脱可能に装着し、前記規定サイズより一つ上のサイズのアッパーを吊り込み成形することにより規定サイズと規定サイズより一つ上のサイズとが兼用できる靴を製造することが出来る。
【００１４】
従来、既に出来あがった靴に対して、中敷きの調整を行なう等、大きめの靴に対応してきた。本発明は、構想を全く異にし、靴を作る段階で将来足が成長した後のことを考え、現在の足にフイットする容量のアッパーを有する靴とし、足が成長してもその足に相当する容量に増大したアッパーを有する靴と成り、成長した足にもフイットするようにしたものである。
【００１５】
靴は、指先部分にアソビのための捨て寸と称する余裕を有している。通常捨て寸は５ｍｍないし１５ｍｍ程設けられている。幼児靴は捨て寸が５ｍｍ以下の靴もあるが子供靴になると、ほとんどの靴が捨て寸５ｍｍ以上である。本発明は、捨て寸を利用したものである。捨て寸が５ｍｍ以上の規定サイズの靴型ラストを用い、規定サイズより一つ上のサイズの靴型ラストとの容量差を有し、且つ、つま先部に周壁を形成する中敷きを着脱可能に装着し、前記規定サイズより一つ上のサイズのアッパーを吊り込み成形したことを特徴とするものである。
規定サイズより一つ上のサイズのアッパーに所定の容量差を有し、且つ、つま先部に周壁を形成する中敷きを装着して吊り込むことにより、出来あがった靴は、規定サイズの靴型ラストを使用しているため、甲部分がピッタリで、踵も浅くも深くもなく規定の寸法を有し、脱げる心配の無い足にフイットする靴が得られる。
【００１６】
又、足が成長した後は、一つ上のサイズの靴型ラストとの容量差を有し、且つ、つま先部に周壁を形成する中敷きを取り除くことにより、つま先部においては、つま先部の周壁の容量に相当するアッパーの膨らみが有り、もともと一つ上のサイズのアッパーを使用しているので一つ上のサイズの靴容量となり、成長した足に対応出来る。
【００１７】
つま先部に形成される周壁の形状は、つま先部における規定サイズの靴型ラストと規定サイズより一つ上のサイズの靴型ラストとの形状差の形態を有するつま先部覆いの形状が最も好ましい。
又、つま先部に周壁を形成する中敷きの、つま先部に形成される周壁の素材と、ベース部の素材とが別の素材でも良く、同じ素材で一体に形成されていてもよい。
【００１８】
尚、アッパーは、それぞれのサイズに適合する形状にパターン設計されたものであり、素材としては、伸縮性を有しておくのが好ましい。
【００１９】
一つ上のサイズとしてハーフサイズ（０．５ｃｍ間隔）にするかワンサイズ（１．０ｃｍ間隔）にするかは、対象となる靴の種類やサイズにより適宜決定する。
【００２０】
【発明の実施の形態】
以下、この発明の実施の形態について図面に基づき詳細に説明する。図１は
セメント式による靴の製造における本発明の実施の形態にかかる断面側面図である。
オブリック・トウの形状を成す規定サイズの靴型ラスト（１）に、ハーフサイズ大きい靴型ラスト（図示せず）との容量差を有し、且つ、つま先部に周壁（１０）を形成する中敷き（２）を戴置し、その上に規定サイズの中敷き（３）を重ね、中底（５）を置き、ハーフサイズ大きいアッパー（４）を吊り込んだ状態を示す。中底（５）とハーフサイズ大きいアッパー（４）とは接着剤又は縫合にて固定する。
【００２１】
ハーフサイズ大きい靴型ラスト（図示せず）との容量差を有し、且つ、つま先部に周壁（１０）を形成するする中敷き（２）のベース部分（１１）や規定サイズの中敷き（３）の素材としては、不織布、フェルト類、ゴムスポンジ、ウレタンフォーム、Ｅ．Ｖ．Ａ．樹脂発泡体等が適宜使用される。例えば、規定サイズの中敷き（３）はサイズにより厚み２．０〜３．５ｍｍ程度のほぼ均一な厚みのＥ．Ｖ．Ａ．樹脂発泡体が使用される。
一つ上のサイズの靴型ラストとの容量差を有し、且つ、つま先部に周壁（１０）を形成する中敷き（２）のつま先部の周壁（１０）は軟らかい弾性体であるゴムスポンジ、ウレタンフォーム、ラテックスフォーム、Ｅ．Ｖ．Ａ．樹脂発泡体等が適宜使用され、ベース部分（１１）に接着剤により接着され一体となっている。尚、ベース部分（１１）とつま先の周壁（１０）は同一の素材で一体となっていても良い。
【００２２】
ハーフサイズ大きい靴型ラストとの容量差を有し、且つ、つま先部に周壁（１０）を形成する中敷き（２）の容量差はサイズグレーディング図面により求める。モデルサイズ１３ｃｍでは２．４ｍｍの中敷き厚みに相当した。
【００２３】
尚、靴型ラストの形状はＪＩＳ  Ｓ５０３７  による。
【００２４】
つま先部に形成される周壁（１０）の形状は、つま先部における規定サイズの靴型ラスト（１）とハーフサイズ大きい靴型ラスト（図示せず）との形状差の形態を有するつま先部覆いの形状とした。
【００２５】
つま先部に形成される周壁の（１０）の作成について、詳述する。
金型を作成し、ラテックスフォームを加熱加圧することにより製作した。図３は、つま先部に形成される周壁（１０）の平面図であり、図４は図３のＡ−Ａ断面図、図５は図３のＢ−Ｂ断面図である。つま先部に形成される周壁（１０）を製作する金型は、上型が平面で下型に所定の形状及び厚みを成す金型であり、つま先部に形成される周壁（１０）の下部である根元の厚みは肉厚で、上部に向かって徐々に薄くなっており、且つ、根元の厚みがつま先先端部より両側方に向かって徐々に肉厚が薄くなり、高さも徐々に低くなっており、後工程でベース部分（１１）上に立ちあがった状態で接着した時に、つま先の上方及び両側方を三次元的に覆うように湾曲し、周囲の立体形状に馴染む形状である。
製作したラテックスフォームの硬さは１８（ＪＩＳ  Ｋ６２５３  タイプＥ）であった。
【００２６】
次に、前記つま先部に形成される周壁（１０）とベース部分（１１）とを接着剤で一体化し、中敷き（２）を作成した。図６は中敷き（２）の外観斜視図である。尚、前記中敷き（２）はカップインソールタイプ又は平シートタイプのいずれでもよい。
【００２７】
ハーフサイズ大きいアッパー（４）の吊り込みしろは、ハーフサイズ小さい規定サイズの靴型ラスト（１）に吊り込んでも、ハーフサイズ大きい靴型ラストとの容量差を有し、且つ、つま先部に周壁（１０）を形成する中敷き（２）を挿入しているので、アッパーとしての規定幅の吊り込みしろとなる。
尚、アッパーのパターン設計は、サイズグレーディングされた靴型ラストの形状・寸法を基に設計する。
【００２８】
吊り込みが終わった後は、本底（６）を接着剤で固定する。
本底の素材としては、天然ゴム、合成ゴム等のゴム類や、Ｅ．Ｖ．Ａ．樹脂やポリウレタン樹脂の発泡体等の成形品が適宜使用できる。天然ゴム、合成ゴム等のゴム類は、加硫品及び未加硫品いずれも使用できるが未加硫品は、後加硫が必要である。
【００２９】
アッパーの吊り込み作業を容易にするために、前記ハーフサイズ大きい靴型ラスト（図示せず）との容量差を有し、且つ、つま先部に周壁（１０）を形成するする中敷き（２）や規定サイズの中敷き（３）として、非弾性体である金属又は硬質合成樹脂からなるダミーを使用し、アッパーの吊り込み作業及び本底（６）の固定作業を終えた後、ダミーを取り出し、前記のつま先部に周壁（１０）を形成するする中敷き（２）や規定サイズの中敷き（３）を装着してもよい。
【００３０】
又、前記金属又は硬質合成樹脂からなるダミーは、靴型ラストに固定しておいてもよい。
【００３１】
図２はインジェクション式による靴の製造における規定サイズの中敷き（３）が無い場合の本発明の実施の形態にかかる断面側面図である。
オブリック・トウの形状を成す規定サイズの靴型ラスト（１）に、ワンサイズ大きい靴型ラスト（図示せず）との容量差を有し、且つ、つま先部に周壁（１０）を形成する中敷き（２）を戴置し、その上に中底（５）を重ね、ワンサイズ大きいアッパー（４）を吊り込み、その底部がボトム・モールド（８）とサイド・モールド（７）の空洞部に良く合うように嵌め合わせ、モールド注入口（９）から本底（６）の素材の合成樹脂を加圧してモールド内に隙間なく注入し、接着と同時に本底（６）を形成する。
【００３２】
ワンサイズ大きい靴型ラストとの容量差を有し、且つ、つま先部に周壁（１０）を形成する中敷き（２）のベース部分の素材としては、不織布、フェルト類、ゴムスポンジ、ウレタンフォーム、Ｅ．Ｖ．Ａ．樹脂発泡体等が適宜使用される。ワンサイズ大きい靴型ラストとの容量差を有し、且つ、つま先部に周壁（１０）を形成する中敷き（２）のつま先部の周壁（１０）の素材は軟らかい弾性体であるゴムスポンジ、ウレタンフォーム、Ｅ．Ｖ．Ａ．樹脂発泡体等が適宜使用される。
同一の素材で一体となったベース部分（１１）とつま先部の周壁（１０）は、例えば、Ｅ．Ｖ．Ａ．樹脂発泡体が使用される。
つま先部に形成される周壁の形状は、つま先部における規定サイズの靴型ラストとワンサイズ大きい靴型ラストとの形状差の形態を有するつま先部覆いの形状とした。
【００３３】
ワンサイズ大きい靴型ラストとの容量差を有し、且つ、つま先部に周壁（１０）を形成する中敷き（２）の容量差はサイズグレーディング図面により求めた。モデルサイズ１５ｃｍでは２．５ｍｍの中敷き厚みに相当した。
【００３４】
本底の素材としては、ポリウレタン樹脂、ＰＶＣ樹脂等の合成樹脂及びその発泡体や熱可塑性エラストマーが適宜使用される。例えば、硬さ６５（ＪＩＳ  Ｋ６２５３  タイプＥ）の発泡ポリウレタン樹脂が使用できる。
【００３５】
購入時、フイットするものが見出されなかった時は一つ上のサイズの靴型ラストとの容量差を有し、且つ、つま先部に周壁（１０）を形成する中敷き（２）の有無により、適合する靴が見出されたり、又、フイットするものが見出された時は、足の成長に応じて一つ上のサイズの靴型ラストとの容量差を有し、且つ、つま先部に周壁（１０）を形成する中敷き（２）を取り出すことにより、つま先部においては、つま先部の周壁（１０）の容量に相当するアッパーの膨らみが有り、成長した足に対応することが出来る。このように規定サイズと規定サイズより一つ上のサイズとが兼用できる。
【００３６】
本発明のようなサイズ調整を行なった靴は、甲部分がピッタリで、踵も浅くも深くもなく、脱げる心配の無い足にフイットする靴が得られる。又、足が成長した後は、一つ上のサイズの靴型ラストとの容量差を有し、且つ、つま先部に周壁（１０）を形成する中敷き（２）を取り除くことにより、つま先部においては、つま先部の周壁（１０）の容量に相当するアッパーの膨らみが有り、もともと一つ上のサイズのアッパーであるので、成長した足に対応出来る。
尚、この一つ上のサイズの靴型ラストとの容量差を有し、且つ、つま先部に周壁（１０）を形成する中敷き（２）を分離可能な接着剤で靴本体の中底（５）上又は規定サイズの中敷き（３）上に固定しても良く、中敷き表面は適宜布帛を貼り付けた積層構造として、外観、履き心地等の向上を図っても良い。
【００３７】
【発明の効果】
以上、実施の形態で説明したように、この発明は、規定サイズの靴型ラストを用い、規定サイズより一つ上のサイズの靴型ラストとの容量差を有し、且つ、つま先部に周壁を形成する中敷きを着脱可能に挿着し、前記規定サイズより一つ上のサイズのアッパーを吊り込み成形したことを特徴とし、
【００３８】
又、前記靴型ラストは、靴内で足の指を自然な状態に保つために、靴型ラストの中心より内側（親指側）のつま先部のみにボリュームを持たせた形状のオブリック・トウであることを特徴とし、履用時に前記中敷きの有無により規定サイズと規定サイズより一つ上のサイズとが兼用できる靴が得られる。
【００３９】
更に、インジェクション式又はセメント式による靴の製造において、規定サイズの靴型ラストを用い、規定サイズより一つ上のサイズの靴型ラストとの容量差を有し、且つ、つま先部に周壁を形成する中敷きを着脱可能に装着し、前記規定サイズより一つ上のサイズのアッパーを吊り込み成形することにより規定サイズと規定サイズより一つ上のサイズとが兼用できる靴の製造方法を提供する。
【図面の簡単な説明】
【図１】セメント式による靴の製造における本発明の実施の形態にかかる断面側面図である。
【図２】インジェクション式による靴の製造における規定サイズの中敷き（３）が無い場合の本発明の実施の形態にかかる断面側面図である。
【図３】つま先部に形成される周壁の平面図である。
【図４】図３のＡ−Ａ断面図である。
【図５】図３のＢ−Ｂ断面図である。
【図６】つま先部に周壁を形成する中敷きの外観斜視図である。
【符号の説明】
１  規定サイズの靴型ラスト
２  一つ上のサイズの靴型ラストとの容量差を有し、且つ、つま先部に周壁を形成する中敷き
３  規定サイズの中敷き
４  一つ上のサイズのアッパー
５  中底
６  本底
７  サイド・モールド
８  ボトム・モールド
９  モールド注入口
１０  つま先部の周壁
１１  つま先部に周壁を形成する中敷きのベース部分
【図１】
2004283500.tif 000003
【図２】
2004283500.tif 000004
【図３】
2004283500.tif 000005
【図４】
2004283500.tif 000006
【図５】
2004283500.tif 000007
【図６】
2004283500.tif 000008